(57)【要約】【課題】高輝度のＬＥＤを使用しなくても煌びやかな光を照射可能な照光式押釦装置を提供する。【解決手段】照光式押釦装置１０はダブルレンズアレイ１１０を有している。ダブルレンズアレイ１１０にはレンズ部１１０ａが形成されている。一つのレンズ部１１０ａの出射面Ｓには、光の出射方向に凸となる単一の球面が形成されており、一つのレンズ部の入射面Ｎには、光の入射方向とは逆向きの凸であり且つ出射面Ｓの球面よりも小さな球面が複数形成されている。【選択図】図５
2014133058.tif 000002
【特許請求の範囲】
【請求項１】
遊技機に取り付けられる照光式押釦装置であって、
光源部と、
表側の出射面と裏側の入射面とからなるレンズ部が一以上形成されており、前記光源部から射出される光を前記入射面から入射し、入射した光を前記出射面から外部へ向けて出射する光学部材とを備え、
前記光学部材の一つのレンズ部の出射面には、光の出射方向に凸となる単一の凸部が形成されており、
前記光学部材の一つのレンズ部の入射面には、光の入射方向とは逆向きの凸部であり且つ前記出射面の凸部よりも小さな凸部が複数形成されていることを特徴とする照光式押釦装置。
【請求項２】
前記出射面の凸部および前記入射面の凸部はいずれも球面形状であることを特徴とする請求項１に記載の照光式押釦装置。
【請求項３】
前記光源部から射出された光を入射して導光する導光部材を有し、
前記導光部材には、前記レンズ部の入射面に向かって伸びる立設部が形成されており、
前記立設部は、前記レンズ部の入射面と対向しており当該入射面へ光を出射する端面を有し、
前記立設部の端面は、当該端面と対向する前記入射面よりも狭いことを特徴とする請求項１または２に記載の照光式押釦装置。
【発明の詳細な説明】
【技術分野】
【０００１】
本発明は、パチンコ機やパチスロ機等の遊技機に取り付けられている照光式押釦装置に関する。
【背景技術】
【０００２】
従来から、光を照射させることの可能な照光式押釦装置を取り付けた遊技機が知られている。このような遊技機では、例えば、照光式押釦装置を発光させる発光演出を行うことによって、遊技者に与える期待度を高めるといったことがなされている。
【先行技術文献】
【特許文献】
【０００３】
【特許文献１】特開２０１０−３３８６０号公報
【特許文献２】特開２０１０−１４６９８８号公報
【特許文献３】特開２００４−３５５９５８号公報
【発明の概要】
【発明が解決しようとする課題】
【０００４】
照光式押釦装置の発光演出によって遊技者に高い期待感を持たせるためには、照光式押釦装置から照射される光を煌びやかにすることが好ましい。したがって、従来から、照光式押釦スイッチに内蔵される光源として高輝度のＬＥＤ（light emitting diode）が用いられていた。しかし、高輝度のＬＥＤを使用した照光式押釦装置は、消費電力が多くなるという問題を有する。
【０００５】
本発明は、前記の問題に鑑みてなされたものであり、高輝度のＬＥＤを使用しなくても、煌びやかな光を照射可能な照光式押釦装置を提供することを目的とする。
【課題を解決するための手段】
【０００６】
上記の課題を解決するために、本発明は、遊技機に取り付けられる照光式押釦装置であって、光源部と、表側の出射面と裏側の入射面とからなるレンズ部が一以上形成されており、前記光源部から射出される光を前記入射面から入射し、入射した光を前記出射面から外部へ向けて出射する光学部材とを備え、前記光学部材の一つのレンズ部の出射面には、光の出射方向に凸となる単一の凸部が形成されており、前記光学部材の一つのレンズ部の入射面には、光の入射方向とは逆向きの凸部であり且つ前記出射面の凸部よりも小さな凸部が複数形成されていることを特徴とする。
【０００７】
本発明におけるレンズ部の入射面の形状および出射面の形状によれば、前記入射面から前記レンズ部へ入射する光は前記入射面の複数の凸部によって前記出射面に集光され、出射面に集光された光は外部へ向けて拡散するようになっている。このように、レンズ部において、一旦集光した光を拡散しているため、高輝度の光源を用いずに低輝度の光源でも照射光を煌びやかにできるという効果を奏する。
【０００８】
また、本発明の照光式押釦装置において、前記出射面の凸部および前記入射面の凸部は、いずれも球面形状であることが好ましい。
【０００９】
これにより、入射面における集光機能と出射面における光拡散機能をより高くできるという効果を奏する。
【００１０】
さらに、本発明の照光式押釦装置は、前記構成に加えて、前記光源部から射出された光を入射して導光する導光部材を有し、前記導光部材には、前記レンズ部の入射面に向かって伸びる立設部が形成されており、前記立設部は、前記レンズ部の入射面と対向しており当該入射面へ光を出射する端面を有し、前記立設部の端面は、当該端面と対向する前記入射面よりも狭くなっている構成であってもよい。
【００１１】
この構成によれば、前記導光部材の立設部の端面から出射した光を前記入射面全体に拡散させることができ、且つ、前記立設部の端面から出射する光のうち前記入射面に入射せずに漏れてしまう光の量を抑制できる。それゆえ、前記光源部から射出されて前記導光部材に入射する光を有効利用でき、低輝度の光源でも照射光をより煌びやかにできるという効果を奏する。
【発明の効果】
【００１２】
本発明の照光式押釦装置によれば、高輝度の光源を用いずに低輝度の光源でも照射光を煌びやかにできるという効果を奏する。
【図面の簡単な説明】
【００１３】
【図１】本発明の一実施形態に係る照光式押釦装置を備えるパチンコ機の外観を示した図である。
【図２Ａ】図１に示した照光式押釦装置の上面図である。
【図２Ｂ】図１に示した照光式押釦装置の内部に取り付けられている光源用基板を示した上面図である。
【図３】図１に示した照光式押釦装置の分解斜視図である。
【図４】図２ＡのＥＥ線によって照光式押釦装置を切断した断面を示す図である。
【図５】図４に示されるダブルレンズアレイのレンズ部を拡大して示した断面図である。
【発明を実施するための形態】
【００１４】
[照光式押釦装置の全体構成]
以下、本発明の実施の形態について詳細に説明する。図１は、本発明の実施の形態における遊技機としてのパチンコ機を示す図である。図１に示すように、パチンコ機１は、遊技領域１１、表示部１２、ハンドル１３、上皿１４、下皿１５および照光式押釦装置１０を備えている。
【００１５】
遊技領域１１は、ハンドル１３によって打ち出された遊技球が移動する領域である。遊技領域１１は、ガラス板を嵌め込んだガラス枠（図示せず）によって覆われている。表示部１２は、遊技領域１１の中央部付近に配置され、例えば、液晶表示装置からなり、大当抽選を示す画像や大当の期待度を示す画像など、各種演出のための画像の表示を行うものである。ハンドル１３は、遊技球の発射操作を行うための装置であり、利用者がハンドル１３を捻った状態で保持すると、遊技球が連続発射されるようになっている。上皿１４には、球貸操作によって貸し出された遊技球、および、遊技によって獲得した遊技球が貯留される。下皿１５には、上皿１４から溢れた遊技球が貯留される。
【００１６】
照光式押釦装置（以下「押釦装置」と称す）１０は、パチンコ機１において下皿１５の左側に取り付けられており、所謂チャンスボタンとも称されるものである。例えば、押釦装置１０は、所定のタイミングにて発光することによって遊技者に押下操作を行うことを促すようになっている。そして、遊技者が発光中の押釦装置１０を押下すると、表示部１２にて所定のキャラクタ等が表示されるような演出が行われる。
【００１７】
以下、押釦装置１０の構成について詳細に説明する。図２Ａは、押釦装置１０の上面図である。図２Ｂは、押釦装置１０の内部に取り付けられている光源用基板１０５を示した上面図である。図３は、押釦装置１０を分解した分解斜視図である。図４は、図２ＡのＥＥ線で押釦装置１０を切断した断面を示す図である。
【００１８】
押釦装置１０は、図３に示すように、ケース１０１、復帰バネ１０２、可動部材１０３、ベース部材１０４、光源用基板１０５、第１導光部材１０６、拡散レンズ１０７、遮光板１０８、第２導光部材１０９、ダブルレンズアレイ１１０、カバー１１１を備える。なお、図１〜図４に示すＡ方向は押釦装置１０を押す方向であり、Ｂ方向はＡ方向と逆向きの方向である。
【００１９】
ケース１０１は、復帰バネ１０２および可動部材１０３が挿入される部材である。ケース１０１は、Ａ方向側に底面が形成されている円筒状部材であり、非透明の着色プラスチックからなる。また、ケース１０１はパチンコ機１にネジ止めされており、これにより、押釦装置１０がパチンコ機１に固定されることになる。
【００２０】
可動部材１０３は、平板状のプラスチックであり、ケース１０１の底面よりもＢ方向側に位置するようにケース１０１に挿入されている。復帰バネ１０２は、Ａ方向およびＢ方向に伸縮可能なようにケース１０１と可動部材１０３との間に挿入されているスプリングである。
【００２１】
次に、カバー１１１を説明する。カバー１１１は、Ｂ方向側に上面が形成されている円筒形状の部材であり（Ａ方向側に底面は形成されていない）、透明プラスチックからなる。カバー１１１のＡ方向側の端部は可動部材１０３に固定されている。なお、本実施形態では、可動部材１０３に突起を設け、カバー１１１のＡ方向側の端部に前記突起と係合する係合部を設けることにより、カバー１１１を可動部材１０３に固定するようになっている。但し、カバー１１１と可動部材１０３とを接着することでカバー１１１を可動部材１０３に固定するようになっていてもよい。
【００２２】
以上の構成によれば、遊技者の手によってカバー１１１がＡ方向へ押されると、ケース１０１は静止している一方、復帰バネ１０２が圧縮し、カバー１１１および可動部材１０３がＡ方向へ移動するようになっている。そして、遊技者がカバー１１１から手を離すと、ケース１０１は静止している一方、カバー１１１および可動部材１０３は、復帰バネ１０２の弾性力（復元力）によって、Ｂ方向へ移動し、カバー１１１が押される前の位置（ホームポジション）に戻るようになっている。つまり、押釦装置１０のうち、ケース１０１、復帰バネ１０２、可動部材１０３、およびカバー１１１は、押釦機能部としての役割を担うものである。
【００２３】
つぎに、ベース部材１０４、光源用基板１０５、第１導光部材１０６、拡散レンズ１０７、遮光板１０８、第２導光部材１０９、ダブルレンズアレイ１１０を順に説明する。
【００２４】
ベース部材１０４は、光源用基板１０５の台座となる部材である。ベース部材１０４は、Ａ方向側に底面が形成されている円筒状部材であり、非透明の着色プラスチックからなる。ベース部材１０４の外径は、カバー１１１の内径よりも短くなっている。
【００２５】
ベース部材１０４は、カバー１１１の内側に配置され、且つ、ケース１０１に嵌められているビス２００（図４参照）に固定されている。具体的には、ケース１０１には、Ａ方向に貫通している螺子穴が形成されており、ベース部材１０４には、Ａ方向側に突起している突起部１０４ａと（図４参照）、突起部１０４ａに形成されている螺子穴とが形成されている。可動部材１０３には、図３で示されていないが、突起部１０４ａを挿入するための貫通穴がＡ方向に貫通している。そして、可動部材１０３の貫通穴と突起部１０４ａとの間に隙間が空くように突起部１０４ａが可動部材１０３の貫通穴に挿入されており、ビス２００が、ケース１０１の螺子穴およびベース部材１０４の突起部１０４ａの螺子穴に嵌められる。これにより、可動部材１０３がＡ方向またはＢ方向に移動可能であると共に、ベース部材１０４はビス２００に固定される状態を保つことになる。つまり、カバー１１１が押されることによってカバー１１１および可動部材１０３がＡ方向またはＢ方向に移動しても、ベース部材１０４は、ケース１０１と同様に静止状態を保つようになっている。
【００２６】
光源用基板１０５は、ベース部材１０４の底面よりもＢ方向側に配置される円盤状のプリント基板である。光源用基板１０５は、ベース部材１０４に嵌められているビス２０１（図４参照）に固定されている。具体的には、ベース部材１０４および光源用基板１０５の各々にはＡ方向に貫通する螺子穴（図３では不図示）が形成されており、ビス２０１はベース部材１０４の螺子穴および光源用基板１０５の螺子穴に嵌められる。これにより、光源用基板１０５は、ベース部材１０４およびケース１０１と同じく、遊技者の押圧操作に関係なく、静止状態を保つようになっている。
【００２７】
光源用基板１０５は、押釦装置１０の光源を搭載するものであり、Ｂ方向側の面に光源として複数のＬＥＤ素子を搭載している。図２Ｂは、光源用基板１０５のＢ方向側の面を示した図である。
【００２８】
図２Ｂに示すように、光源用基板１０５は、第１光源部２０５と第２光源部３０５と第３光源部４０５とを有している。
【００２９】
第１光源部２０５は、光源用基板１０５のうち、図３に示す文字型の第１導光部材１０６に覆われている領域において、一直線上に並ぶように搭載される３個のＬＥＤ素子２０５ａからなる。なお、３個のＬＥＤ素子２０５ａは互いに等間隔をあけて配置されており、３個のＬＥＤ素子２０５ａのうちの中央のＬＥＤ素子２０５ａは光源用基板１０５の中心位置に搭載されている。
【００３０】
第２光源部３０５は、光源用基板１０５に搭載される一対のＬＥＤ素子３０５ａからなる。具体的には、図４に示すように、光源用基板１０５にて、第１導光部材１０６（１０６ａ,１０６ｂ）の搭載されている箇所と、第２導光部材１０９の搭載されている箇所との間に、ＬＥＤ素子３０５ａが搭載される。また、第２光源部３０５の一方のＬＥＤ素子３０５ａと他方のＬＥＤ素子３０５ａとは、第１導光部材１０６を挟んで対向配置されることになる。
【００３１】
図３に示すように、第３光源部４０５は、光源用基板１０５の外周に沿って等間隔に並ぶように光源用基板１０５に搭載される複数のＬＥＤ素子４０５ａからなる。また、第３光源部４０５に含まれる各ＬＥＤ素子４０５ａは、光源用基板１０５において、Ｂ方向側に第２導光部材１０９を臨む位置に配される。
【００３２】
なお、図４に示すように、光源用基板１０５に搭載されているＬＥＤ素子２０５ａ、３０５ａ、４０５ａは、Ａ方向側からＢ方向側へ向けて光を照射するようになっている。図４に示される太線の矢印（Ａ方向、Ｂ方向を示す矢印以外の矢印）は、ＬＥＤ素子２０５ａ、３０５ａ、４０５ａから照射される光の進行方向を示したものである。
【００３３】
第１導光部材１０６は、光を全反射する材料（例えばアクリル樹脂）からなり、透明性を有する光学部材である。第１導光部材１０６は、第１光源部２０５のＬＥＤ素子２０５ａを覆うように光源用基板１０５に搭載される。
【００３４】
図３にて示されるように、第１導光部材１０６は、Ａ方向側に形成されており第１光源部２０５のＬＥＤ素子２０５ａを覆うための平板状の入射部１０６ａと、入射部１０６ａからＢ方向に向けて延びる柱状の立設部１０６ｂとを有している。
【００３５】
入射部１０６ａのうち、光源用基板１０５の側（Ａ方向側）の面には、光源用基板１０５と入射部１０６ａとの間に密閉空間を形成するための凹部が形成されている。そして、入射部１０６ａの凹部と光源用基板１０５との間に第１光源部２０５の３つのＬＥＤ素子２０５ａが位置するように、入射部１０６ａが光源用基板１０５に搭載される。これにより、図４に示すように、第１光源部２０５のＬＥＤ素子２０５ａは光源用基板１０５および入射部１０６ａに密閉されることになる。なお、光源用基板１０５と入射部１０６ａとの間に形成される密閉空間は単一であり、第１光源部２０５の３つのＬＥＤ素子２０５ａは同じ密閉空間内に配置されている。
【００３６】
また、図４に示すように、入射部１０６ａにおいて、ＬＥＤ素子２０５ａの側の面には、当該ＬＥＤ素子２０５ａの方へ突出した突起Ｔが形成されている。また、突起ＴはＬＥＤ素子２０５ａと同数だけ形成されている。
【００３７】
第１導光部材１０６の立設部１０６ｂは、図３に示すように、Ｂ方向側の端面を出射面Ｍとしており、Ｂ方向に垂直な平面で切断した場合の断面と出射面Ｍとが同じ文字形状になっている柱状部である。立設部１０６ｂは、第１光源部２０５に含まれるＬＥＤ素子２０５ａと同数形成されている。具体的には、図３において左側から順に、「Ｘ」の形状を示す立設部１０６ｂと、「Ｙ」の形状を示す立設部１０６ｂと、「Ｚ」の形状を示す立設部１０６ｂとが並んでいる。
【００３８】
つぎに、第１光源部２０５のＬＥＤ素子２０５ａと第１導光部材１０６の立設部１０６ｂとの関係を詳細に説明する。押釦装置１０においては、図４にて示されるように、一つのＬＥＤ素子２０５ａと一つの突起Ｔと一つの立設部１０６ｂとがＢ方向に並んでいる。つまり、ＬＥＤ素子２０５ａ毎に、ＬＥＤ素子２０５ａからＢ方向に向けた位置に一つの突起Ｔと一つの立設部１０６ｂとが設けられていることになる。
【００３９】
そして、図４に示すように、ＬＥＤ素子２０５ａは、当該ＬＥＤ素子２０５ａからＢ方向に向けた方向に位置する突起Ｔと対向しているが、突起ＴにおけるＬＥＤ素子２０５ａと対向している面がＬＥＤ素子２０５ａの光を入射する入射面になる。また、この入射面から入射した光は、この入射面からＢ方向に向けた方向に位置する立設部１０６ｂによってＢ方向にストレートに導光され、立設部１０６ｂのＢ方向側の端面である出射面Ｍから出射するようになっている。
【００４０】
これにより、Ｂ方向側からＡ方向側に向けて押釦装置１０を見るユーザからすれば、図２Ａに示すように、「ＸＹＺ」の形状からなる立設部１０６ｂの出射面Ｍから光が照射されており、「ＸＹＺ」の形状をはっきりと認識できるようになっている。
【００４１】
また、本実施形態では、図２Ａおよび図４に示される出射面Ｍにはシボ加工が施されている。これにより、出射面Ｍから放たれる光を拡散させることができるため、文字形状の出射面Ｍをユーザに対してより際立たせることができる。
【００４２】
つぎに、拡散レンズ１０７について説明する。拡散レンズ１０７は、図３および図４に示すように、表面が凸状であり裏面が凹状のドーム型であって、裏面から入射した光を表面から拡散出射する透明な光学部材であり、透明性を有するアクリル樹脂からなる。また、図３および図４に示すように、拡散レンズ１０７は複数の斜面が配列されてなる形状である。
【００４３】
拡散レンズ１０７は、凹状の裏面が光源用基板１０５のＬＥＤ素子の搭載側に対向するように、光源用基板１０５に搭載されている。つまり、拡散レンズ１０７は、Ａ方向側の面が凹状の裏面になり、Ｂ方向側の面が凸状の表面となる。
【００４４】
また、拡散レンズ１０７は、Ａ方向側の面が凹状でありＢ方向側の面が凸状のドーム型であることから、図３に示すようにＡ方向側の端部が円状エッジになっている。この円状エッジと光源用基板１０５とが密着するように拡散レンズ１０７が光源用基板１０５に搭載されている。そして、図４に示すように、拡散レンズ１０７の円状エッジは、光源用基板１０５において、第３光源部４０５の各ＬＥＤ素子４０５ａよりも光源用基板１０５の中心側に位置し、且つ、第１光源部２０５の各ＬＥＤ素子２０５ａおよび第２光源部３０５の各ＬＥＤ素子３０５ａよりも光源用基板１０５の外周側に位置する。
【００４５】
さらに、図３に示すように、拡散レンズ１０７には、裏面の側から前記表面の側に貫通する貫通穴１０７ａが形成されている。貫通穴１０７ａの輪郭は、第１導光部材１０６の立設部１０６ｂの断面および出射面Ｍの文字形状と同一の文字形状であり、遊びを有する状態で立設部１０６ｂが嵌め込まれるように立設部１０６ｂの断面よりも僅かに面積が広くなっている。
【００４６】
そして、図４に示されるように、第１導光部材１０６は、入射部１０６ａが第１光源部２０５の各ＬＥＤ素子２０５ａを覆い、立設部１０６ｂが貫通穴１０７ａに嵌められつつ、光源用基板１０５に搭載されている。なお、第１導光部材１０６の立設部１０６ｂは、拡散レンズ１０７に接着剤等で接着されることなく、拡散レンズ１０７との間で遊びを有する状態で、拡散レンズ１０７の貫通穴１０７ａに嵌められる。
【００４７】
さらに、図４に示すように、第２光源部３０５のＬＥＤ素子３０５ａからＢ方向に向けた方向には拡散レンズ１０７が位置しており、ＬＥＤ素子３０５ａと拡散レンズ１０７の裏面とが対向している。これにより、第２光源部３０５のＬＥＤ素子３０５ａから放たれる光は、拡散レンズ１０７の裏面から拡散レンズ１０７に入射し、拡散レンズ１０７の表面から拡散されるようになっている。また、第２光源部３０５の光は、第１導光部材１０６の壁面に照射されても、第１導光部材１０６によって全反射されるため、第１導光部材１０６への入射が妨げられるようになっている。
【００４８】
つぎに、遮光板１０８を説明する。遮光板１０８は、中空円筒部材であり、外周面および内周面が鏡面になっている光反射部材である。
【００４９】
遮光板１０８は、図３および図４に示すように、拡散レンズ１０７と第２導光部材１０９との間に取り付けられる。つまり、第１光源部２０５（ＬＥＤ素子２０５ａ）、第１導光部材１０６、第２光源部３０５（ＬＥＤ素子３０５ａ）、拡散レンズ１０７が遮光板１０８の内周側に配置され、第３光源部４０５（ＬＥＤ素子４０５ａ）、第２導光部材１０９が遮光板１０８の外周側に配置される。
【００５０】
これにより、遮光板１０８の内周側に位置する第１光源部２０５および第２光源部３０５から放たれる光が遮光板１０８の外周側にて進行する光の光路（第３光源部４０５の光の光路）に漏れてしまう事が抑制され、遮光板１０８の外周側に位置する第３光源部４０５から放たれる光が遮光板１０８の内周側にて進行する光の光路（第１光源部２０５、第２光源部３０５の光の光路）に漏れてしまう事が抑制される。例えば、図４に示すように、第２光源部３０５のＬＥＤ素子３０５ａから射出されて拡散レンズ１０７にて拡散される光が、第２導光部材１０９の方向へ向かっていても、第２導光部材１０９に到達せずに遮光板１０８にて反射されてＢ方向側へ向かうようになっている。
【００５１】
つぎに、第２導光部材１０９について説明する。第２導光部材１０９は、光を全反射する材料（例えばアクリル樹脂）からなり、透明性を有する光学部材である。第２導光部材１０９は、第３光源部４０５のＬＥＤ素子４０５ａのＢ方向側に位置するように光源用基板１０５に搭載される。これにより、図４に示されるように、光源用基板１０５と第２導光部材１０９との間に第３光源部４０５のＬＥＤ素子４０５ａが配置されることになる。
【００５２】
第２導光部材１０９は、図３および図４に示すように、Ａ方向側に形成されており第３光源部４０５のＬＥＤ素子４０５ａと対面するリング状の入射部１０９ａと、入射部１０９ａからＢ方向に向けて延びる棒状の立設部１０９ｂとを有している。
【００５３】
入射部１０９ａのＡ方向側の面において、ＬＥＤ素子４０５ａと対向していない部分には、ＬＥＤ素子４０５ａとの対向部分よりもＡ方向に突出している突起部１０９ｃ（図４参照）が形成されている。この突起部１０９ｃは光源用基板１０５上にて第２導光部材１０９を支持する支持柱として機能する。つまり、突起部１０９ｃが光源用基板１０５に密着することにより、第２導光部材１０９の入射部１０９ａのうちＬＥＤ素子４０５ａとの対向部分と、光源用基板１０５との間にスペースが形成されつつ、第２導光部材１０９が光源用基板１０５に搭載されることになる。つまり、図４に示すように、第２導光部材１０９の入射部１０９ａと光源用基板１０５との間のスペースに、第３光源部４０５のＬＥＤ素子４０５ａが配置される。
【００５４】
第２導光部材１０９の立設部１０９ｂは、図３および図４に示すように、入射部１０９ａからＢ方向に向けて延びており、Ｂ方向側の端面が出射面Ｒ（図５参照）になっている柱状部である。立設部１０９ｂはＬＥＤ素子４０５ａと同数形成されている。具体的には、図３に示すように、入射部１０９ａのＢ方向側において、入射部１０９ａの外周に沿って等間隔に立設部１０９ｂが並んでいる。なお、ＬＥＤ素子４０５ａ毎に、ＬＥＤ素子４０５ａからＢ方向に向けた位置に立設部１０９ｂが一つ配置されることになる。
【００５５】
つぎに、ダブルレンズアレイ１１０について説明する。ダブルレンズアレイ１１０は、Ｂ方向側に上面が形成されている円筒形状の光学部材であり（Ａ方向側に底面は形成されていない）、透明なアクリル樹脂からなる。ダブルレンズアレイ１１０のＡ方向側の端部は光源用基板１０５およびベース部材１０４に固定されている。そして、図３および図４にて示されるように、光源用基板１０５とダブルレンズアレイ１１０の上面との間に、第１導光部材１０６、拡散レンズ１０７、遮光板１０８、第２導光部材１０９が配置される。
【００５６】
図３に示すように、ダブルレンズアレイ１１０の上面には、立設部１０９ｂの数と同数のレンズ部１１０ａが形成されている。レンズ部１１０ａは、ダブルレンズアレイ１１０の上面において、当該上面の外周に沿って等間隔に並んでいる。
【００５７】
レンズ部１１０ａは、図５に示すように、入射した光を拡散して出射する光拡散部である。レンズ部１１０ａにおいて、Ｂ方向側は出射面Ｓであり、Ａ方向側は入射面Ｎになっている。出射面Ｓはレンズ部１１０ａの表面であり、入射面Ｎは、出射面Ｓの裏側に形成されており、レンズ部１１０ａの裏面をなす。
【００５８】
また、図４および図５に示すように、１つのレンズ部１１０ａの出射面Ｓは、光の出射方向（Ｂ方向）に凸状の単一の球面になっている。これに対し、１つのレンズ部１１０ａの入射面Ｎは、光の入射方向と逆方向（Ａ方向）に凸状の球面（出射面Ｎの球面よりも小さな球面）が複数形成されている形態である。
【００５９】
そして、図５に示すように、ＬＥＤ素子４０５ａ毎に、ＬＥＤ素子４０５ａからＢ方向に向けた位置に一つの立設部１０９ｂと一つのレンズ部１１０ａとが設けられており、当該立設部１０９ｂの出射面（端面）Ｒと当該レンズ部１１０ａの入射面Ｎとは僅かな隙間を挟んで対面している。なお、立設部１０９ｂの出射面Ｒは、この出射面ＲのＢ方向側にて出射面Ｒと対面している入射面Ｎよりも狭くなるように設計されている。
【００６０】
そして、図４に示されるように、ＬＥＤ素子４０５ａから放たれる光は、第２導光部材１０９の入射部１０９ａから第２導光部材１０９に入射し、当該ＬＥＤ素子４０５ａのＢ方向側に位置する立設部１０９ｂによってＢ方向にストレートに導光され、立設部１０９ｂの出射面Ｒから出射し、当該ＬＥＤ素子４０５ａのＢ方向側に位置するレンズ部１１０ａの入射面Ｎからレンズ部１１０ａに入射する。さらに、レンズ部１１０ａに入射する光は入射面Ｎの複数の球面によって出射面Ｓに集光され、出射面Ｓに集光された光は外部へ向けて拡散する。このように、レンズ部１１０ａにおいて一旦集光した光を拡散しているため、レンズ部１１０ａから拡散される光は煌びやかになる。
【００６１】
また、図３に示すように、ダブルレンズアレイ１１０の上面には、Ａ方向の側からＢ方向の側へ貫通する貫通穴１１０ｂが形成されている。貫通穴１１０ｂの輪郭は、貫通穴１０７ａの輪郭と同一形状である。つまり、貫通穴１１０ｂの輪郭は、第１導光部材１０６の立設部１０６ｂの断面および出射面Ｍの文字形状と同一の文字形状であり、遊びを有する状態で立設部１０６ｂが嵌め込まれるように立設部１０６ｂの断面よりも僅かに面積が広くなっている。そして、図４に示されるように、第１導光部材１０６の立設部１０６ｂの出射面Ｍが貫通穴１１０ｂからＢ方向側に突出するように、第１導光部材１０６の立設部１０６ｂが貫通穴１１０ｂに嵌め込まれている。なお、第１導光部材１０６の立設部１０６ｂは、ダブルレンズアレイ１１０に接着剤等で接着されることなく、ダブルレンズアレイ１１０との間で遊びを有する状態で、ダブルレンズアレイ１１０の貫通穴１１０ｂに嵌められる。
【００６２】
また、図４に示すように、カバー１１１の上面とダブルレンズアレイ１１０の上面のレンズ部１１０ａの出射面Ｓとが対面し、カバー１１１の上面と第１導光部材１０６の出射面Ｍとが対向するように、カバー１１１がケース１０１に固定されている。これにより、カバー１１１の上面と、光源用基板１０５との間に、第１導光部材１０６、拡散レンズ１０７、遮光板１０８、第２導光部材１０９、ダブルレンズアレイ１１０が配置されることになる。
【００６３】
以上の構成によれば、図４に示すように、ＬＥＤ素子２０５ａ（第１光源部２０５）の光は、拡散レンズ１０７およびダブルレンズアレイ１１０を通ることなく、第１導光部材１０６によってＢ方向に向けて導光され、ダブルレンズアレイ１１０よりもＢ方向側において第１導光部材１０６の出射面Ｍから出射し、カバー１１１を通過して外部に放たれるようになっている。また、ＬＥＤ素子３０５ａ（第２光源部３０５）の光は、拡散レンズ１０７によって拡散された後、カバー１１１を通過して外部に放たれるようになっている。さらに、ＬＥＤ素子４０５ａ（第３光源部４０５）の光は、第２導光部材１０９によってＢ方向に向けて導光され、ダブルレンズアレイ１１０のレンズ部１１０ａ（図５参照）にて一旦集光されてから拡散され、カバー１１１を通過して外部に放たれるようになっている。
【００６４】
[ダブルレンズアレイ１１０について]
以下では、ダブルレンズアレイ１１０の利点を説明する。前述したように、本実施形態の押釦装置１０は、第３光源部４０５と、ダブルレンズアレイ１１０とを備えている。そして、ダブルレンズアレイ１１０は、図４および図５に示すように、表側の出射面Ｓと裏側の入射面Ｎとからなるレンズ部１１０ａが１以上形成されており、第３光源部４０５から射出される光を入射面Ｎから入射し、入射した光を出射面Ｓから外部へ向けて出射するようになっている。さらに、一つのレンズ部１１０ａの出射面Ｓには、光の出射方向に凸となる単一の球面が形成されており、１つのレンズ部１１０ａの入射面Ｎには、光の入射方向とは逆向きの凸部であり且つ出射面Ｓの球面よりも小さな球面が複数形成されている構成である。
【００６５】
このような構成によれば、図４および図５に示すように、入射面Ｎからレンズ部１１０ａへ入射する光は、入射面Ｎの複数の球面によって出射面Ｓに集光され、出射面Ｓに集光された光は外部へ向けて拡散するようになっている。このように、レンズ部１１０ａによって一旦集光した光を拡散しているため、高輝度の光源を用いずに低輝度の光源でも、レンズ部１１０ａからの照射光を煌びやかにできる。
【００６６】
なお、レンズ部１１０ａの出射面Ｓは、光の出射方向に凸になっており且つ出射方向に光を拡散する形態であれば、球面形状に限定されるものではなく、例えば非球面形状になっていてもよい。但し、出射面Ｓにおける光拡散機能を高めるには、本実施形態のように出射面Ｓを球面形状とすることが好ましい。また、レンズ部１１０ａの入射面Ｎは、光の出射方向に凸になっている凸部が複数形成されており且つ入射方向に集光する形態であれば、当該凸部が球面形状であることに限定されるものではなく、例えば当該凸部が非球面形状であってもよい。但し、入射面Ｎにおける集光機能を高めるには、本実施形態のように、入射面Ｎに形成されている凸部が球面形状であることが好ましい。
【００６７】
また、本実施形態の押釦装置１０は、図３〜図５に示すように、第３光源部４０５から射出された光を入射して導光する第２導光部材１０９を有し、第２導光部材１０９には、レンズ部１１０ａの入射面Ｎに向かって伸びる立設部１０９ｂが形成され、立設部１０９ｂは、レンズ部１１０ａの入射面Ｎと対向しており当該入射面Ｎへ光を出射する出射面（端面）Ｒを有している。そして、立設部１０９ｂの出射面Ｒは、当該出射面Ｒと対向する入射面Ｎよりも狭くなっている。
【００６８】
この構成によれば、第２導光部材１０９の立設部１０９ｂの出射面Ｒから出射した光を入射面Ｎ全体に拡散させることができ、且つ、立設部１０９ｂの出射面Ｒから出射する光のうち入射面Ｎに入射せずに漏れてしまう光の量を抑制できる。それゆえ、第３光源部４０５から射出されて第２導光部材１０９に入射する光を有効利用でき、低輝度の光源でも照射光をより煌びやかにできるという効果を奏する。
【００６９】
[第１導光部材１０６および拡散レンズ１０７について]
つぎに、第１導光部材１０６および拡散レンズ１０７の利点を説明する。前述したように、本実施形態の押釦装置１０は、光源用基板１０５と、第１光源部２０５および第２光源部３０５と、第１導光部材１０６と、拡散レンズ１０７とを備える。
【００７０】
拡散レンズ１０７は、表面が凸状であり裏面が凹状のドーム型になっており、前記裏面が光源用基板１０５に対向するように配置されている。第１光源部２０５および第２光源部３０５は、光源用基板１０５における拡散レンズ１０７と対向する側に搭載される。第１導光部材１０６は、拡散レンズ１０７の裏面の側から表面の側に貫通するように拡散レンズ１０７に形成される貫通穴１０７ａに嵌められ、一端側が第１光源部２０５を覆うように光源用基板１０５に搭載され、他端側が拡散レンズ１０７よりもＢ方向（拡散レンズ１０７の裏面から表面へ向かう方向）に向けて突出している。
【００７１】
そして、第２光源部３０５の光は、拡散レンズ１０７の裏面から拡散レンズ１０７に入射し、拡散レンズ１０７の表面から拡散されることによって、外部へ向けて照射されるようになっている。これに対し、第１光源部２０５の光は、第１導光部材１０６の一端側のうち第１光源部２０５と対向している入射部１０６ａから第１導光部材１０６に入射して第１導光部材１０６の内部を導光し、第１導光部材１０６の他端側の端面（出射面Ｍ）から出射することによって、外部へ向けて照射されるようになっている。
【００７２】
以上の構成によれば、第２光源部３０５の光は拡散レンズ１０７の表面から拡散出射することで外部へ向けて照射され、第１光源部２０５の光は第１導光部材１０６に導光されて第１導光部材１０６の出射面Ｒから出射することで外部へ向けて照射されるようになっている。
【００７３】
さらに、以上の構成によれば、第１光源部２０５は光源用基板１０５および第１導光部材１０６に覆われていることになるため、第１光源部２０５の光が第１導光部材１０６と光源用基板１０５との間から漏れてしまうことを抑制でき、第２光源部３０５から射出されて拡散レンズ１０７に到達する光に第１光源部２０５の光が混ざるといった事態を抑制できる。また、第２光源部３０５から放たれる光が第１導光部材１０６と光源用基板１０５との間に入ってしまうことも抑制できるため、第１光源部２０５から第１導光部材１０６に入射する光に第２光源部３０５の光が混ざるといった事態を抑制できる。このように、第１光源部２０５の光と第２光源部３０５の光とが混ざるといった事を抑制できるため、押釦装置１０を見る者にとっては、押釦装置１０のうち、第１光源部２０５からの光が照射されている領域と第２光源部３０５からの光が照射されている領域とを明確に区別できるという効果を奏する。これにより、第１導光部材１０６のＢ方向側の端面（出射面Ｍ）を所定形状（本実施形態では文字形状）にすることで、当該所定形状をユーザに明確に示すことができるというメリットを有する。
例えば、第２光源部３０５の一対のＬＥＤ素子３０５ａの光をいずれも同色にし、第１光源部２０５の３つのＬＥＤ素子３０５ａの光の色を第２光源部３０５のＬＥＤ素子３０５ａの光の色と異ならせればよい。これにより、第１導光部材１０６の所定形状の出射面Ｍから放たれる光の色と、第１導光部材１０６の周囲において拡散レンズ１０７にて拡散される光の色とが異なることになり、ユーザは所定形状を明確に認識できることになる。なお、第１光源部２０５の３つのＬＥＤ素子３０５ａの光の色は第２光源部３０５のＬＥＤ素子３０５ａの光の色と異なってさえいれば、３つのＬＥＤ素子３０５ａの光の色は互いに同じでもよいし互いに異ならせていてもよい。また、前記の所定形状としては、文字形状、文字以外の装飾的形状（星型等）、パチンコ機１に採用されているキャラクタの輪郭等であってもよい。但し、本実施形態では、前記の所定形状は文字形状になっている。具体的には、本実施形態の第１導光部材１０６は、一端側（Ａ方向側）に形成されており第１光源部２０５のＬＥＤ素子２０５ａを覆う入射部１０６ａと、入射部１０６ａから第１導光部材１０６の他端側（Ｂ方向側）へ向けて延びる柱状の立設部１０６ｂとを有しており、立設部１０６ｂの前記他端側（Ｂ方向側）の端部が出射面Ｍになっており、立設部１０６ｂの断面および出射面Ｍが互いに同じ文字形状になっている。これにより、文字形状の出射面から第１光源部２０５の光を出射させることによって当該文字形状を際立たせることができる。
【００７４】
また、本実施形態の構成によれば、第１光源部２０５と第２光源部３０５との間に遮光板を取り付けなくても、前述したように、第１光源部２０５の光路に第２光源部３０５の光が漏れることや第２光源部３０５の光路に第１光源部２０５の光が漏れることを抑制できるため、特許文献１（特開２０１０−３３８６０号公報）の構成よりも部品点数を削減できるという効果を奏する。
【００７５】
さらに、本実施形態の第１導光部材１０６の出射面Ｍにはシボ加工が施されている。シボ加工されている出射面は光を拡散させる効果があるため、文字形状の出射面Ｍをユーザに対してより際立たせることができるという効果を奏する。
【００７６】
また、本実施形態において、第１導光部材１０６の立設部１０６ｂは、拡散レンズ１０７およびダブルレンズアレイ１１０に接着されることなく、拡散レンズ１０７の貫通穴１０７ａ、および、ダブルレンズアレイ１１０の貫通穴に嵌められている。言い換えると、立設部１０６ｂは、拡散レンズ１０７およびダブルレンズアレイ１１０に対して遊びを有する状態で、拡散レンズ１０７の貫通穴およびダブルレンズアレイ１１０の貫通穴に嵌められている。このように、拡散レンズ１０７およびダブルレンズアレイ１１０に立設部１０６ｂを接着させずに単に嵌め込むようにすれば、第２光源部３０５から射出される光が第１導光部材１０６に入射してしまう事態を一層抑制できる。この理由は以下の通りである。仮に、ダブルレンズアレイ１１０の貫通穴１１０ａにおいて立設部１０６ｂとダブルレンズアレイ１１０とを接着剤で接着したり、拡散レンズ１０７の貫通穴１０７ａにおいて立設部１０６ｂと拡散レンズ１０７とを接着剤で接着した場合、接着剤により形成される接着層を介して第２光源部３０５から射出される光が第１導光部材１０６に入射してしまう事態が生じることがあるが、接着しなければ当該事態は生じないためである。
【００７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７８】
本発明は、パチンコおよびパチスロ等の遊技機に利用できる。
【符号の説明】
【００７９】
１    パチンコ機（遊技機）
１０    押釦装置（照光式押釦装置）
１０５    光源用基板
１０６    第１導光部材
１０６ａ  入射部
１０６ｂ  立設部
１０７    拡散レンズ
１０７ａ  貫通穴
１０９    第２導光部材（導光部材）
１０９ａ  入射部
１０９ｂ  立設部
１１０    ダブルレンズアレイ（光学部材）
１１０ａ  レンズ部
１１０ｂ  貫通穴
１１１    カバー
２０５    第１光源部
３０５    第２光源部
４０５    第３光源部（光源部）
Ｍ        出射面
Ｎ        入射面
Ｓ        出射面
Ｒ        出射面（端面）
【図１】
2014133058.tif 000003
【図２Ａ】
2014133058.tif 000004
【図２Ｂ】
2014133058.tif 000005
【図３】
2014133058.tif 000006
【図４】
2014133058.tif 000007
【図５】
2014133058.tif 000008